(57)【要約】【課題】給湯開始までの待ち時間が長くなることを防止すると共に、給排気通路の閉塞が生じた状態でバーナに点火されることを防止した給湯装置を提供する。【解決手段】給湯装置１は、モード切替部６１により待機モードから運転モードに切り替えられた時、又は待機モードにおいて、流量センサ１７の検出流量が最低動作流量以上になった時に、給排気通路の閉塞の有無を判断し、給排気通路の閉塞を検知したときには、バーナ３の点火を禁止するか又は報知を行う閉塞検知部６２を備える。【選択図】  図１
2015059720.tif 000002
【特許請求の範囲】
【請求項１】
バーナと、
給排気通路を介して、前記バーナに燃焼用空気を供給すると共に、前記バーナの燃焼排ガスを排出する燃焼ファンと、
給水管及び出湯管に接続されて、給水管から供給される水を前記バーナにより加熱して前記出湯管に出湯する熱交換器と、
前記熱交換器への給水を検出する給水センサと、
前記給水センサにより前記熱交換器への給水が検出されているときに、前記バーナを燃焼させて前記出湯管に出湯する給湯運転を実行する給湯制御部と、
前記給湯制御部による前記給湯運転の実行が許可される運転モードと、前記給湯制御部による前記給湯運転の実行が禁止される待機モードとの切替えを指示するための運転スイッチと、
前記運転スイッチの操作に応じて、前記運転モードと前記待機モードとを切替えるモード切替部と、
前記運転スイッチにより前記待機モードから前記運転モードへの切替えが指示された時に、前記給排気通路の閉塞の有無を判断し、前記給排気通路の閉塞を検知したときには、前記バーナの点火を禁止するか又は報知を行う閉塞検知部と
を備えたことを特徴とする給湯装置。
【請求項２】
バーナと、
給排気通路を介して、前記バーナに燃焼用空気を供給すると共に、前記バーナの燃焼排ガスを排出する燃焼ファンと、
給水管及び出湯管に接続されて、給水管から供給される水を前記バーナにより加熱して前記出湯管に出湯する熱交換器と、
前記熱交換器への給水を検出する給水センサと、
前記給水センサにより前記熱交換器への給水が検出されているときに、前記バーナを燃焼させて前記出湯管に出湯する給湯運転を実行する給湯制御部と、
前記給湯制御部による前記給湯運転の実行が許可される運転モードと、前記給湯制御部による前記給湯運転の実行が禁止される待機モードとの切替えを指示するための運転スイッチと、
前記運転スイッチの操作に応じて、前記運転モードと前記待機モードとを切替えるモード切替部と、
前記待機モードにおいて、前記給水センサにより前記熱交換器への給水が検出されない状態から給水が検出される状態に切り替わった時に、前記給排気通路の閉塞の有無を判断し、前記給排気通路の閉塞を検知したときには、前記バーナの点火を禁止するか又は報知を行う閉塞検知部と
を備えたことを特徴とする給湯装置。
【請求項３】
バーナと、
給排気通路を介して、前記バーナに燃焼用空気を供給すると共に、前記バーナの燃焼排ガスを排ｆ出する燃焼ファンと、
給水管及び出湯管に接続されて、給水管から供給される水を前記バーナにより加熱して前記出湯管に出湯する熱交換器と、
前記熱交換器への給水を検出する給水センサと、
前記バーナを燃焼させて前記出湯管に出湯する給湯運転の実行条件を設定するための設定スイッチと、
前記給水センサにより前記熱交換器への給水が検出されているときに、前記設定スイッチの操作に応じた実行条件により前記給湯運転を実行する給湯制御部と、
前記給湯運転が停止した状態で前記設定スイッチが操作された時に、前記給排気通路の閉塞の有無を判断し、前記給排気通路の閉塞を検知したときには、前記バーナの点火を禁止するか又は報知を行う閉塞検知部と
を備えたことを特徴とする給湯装置。
【請求項４】
バーナと、
給排気通路を介して、前記バーナに燃焼用空気を供給すると共に、前記バーナの燃焼排ガスを排出する燃焼ファンと、
給水管及び出湯管に接続されて、給水管から供給される水を前記バーナにより加熱して前記出湯管に出湯する熱交換器と、
前記熱交換器への給水を検出する給水センサと、
前記給水センサにより前記熱交換器への給水が検出されているときに、前記バーナを燃焼させて前記出湯管に出湯する給湯運転を実行する給湯制御部と、
計時部と、
前記給湯運転が停止した状態で、前記計時部による計時時刻が、前記給湯運転が実行される可能性が高い時間帯として設定された特定時間帯外から該特定時間帯内に移行した時に、前記給排気通路の閉塞の有無を判断し、前記給排気通路の閉塞を検知したときには、前記バーナの点火を禁止するか又は報知を行う閉塞検知部と
を備えたことを特徴とする給湯装置。
【発明の詳細な説明】
【技術分野】
【０００１】
本発明は、バーナの給排気通路の閉塞検知を行う給湯装置に関する。
【背景技術】
【０００２】
従来より、給排気通路を介して、燃焼ファンによりバーナに燃焼用空気を供給すると共にバーナの燃焼排ガスを排出する給湯装置において、バーナの点火前に給排気通路の閉塞の有無を判断し、閉塞が生じているときには給湯運転を禁止するようにした構成が知られている（例えば、特許文献１，２参照）。
【０００３】
特許文献１に記載された給湯装置においては、バーナの点火を開始する時に給排気通路の閉塞の有無を判断している。また、特許文献２に記載された給湯装置においては、バーナの燃焼中に給排気通路の閉塞の有無を判断し、閉塞が生じていないときには、次回のバーナ点火開始時の閉塞の有無の判断を省略するようにしている。
【先行技術文献】
【特許文献】
【０００４】
【特許文献１】特開平７−１５１３２５号公報
【特許文献２】特開平８−２４７４５２号公報
【発明の概要】
【発明が解決しようとする課題】
【０００５】
特許文献１に記載された給湯装置においては、バーナの点火を開始する時に給排気通路の閉塞の有無を判断している。そのため、この判断に要する時間分だけ、使用者が給湯栓を開けて給湯装置への給水が開始されてから、この給水の検出によりバーナに点火されて給湯栓から出湯されるまでの待ち時間が長くなるという不都合がある。
【０００６】
それに対して、特許文献２に記載された給湯装置においては、バーナの燃焼中に給排気通路の閉塞が検知されなかったときには、次回のバーナ点火時の給排気通路の閉塞の有無の判断は行われないので、給湯栓から出湯されるまでの待ち時間を短縮することができる。しかし、この場合には、前回のバーナ燃焼時からの経過時間が長くなったときに、経過時間中に給排気通路の閉塞が生じて、次回の給湯開始時に給排気通路の閉塞が生じた状態でバーナの点火処理が行われてしまうおそれがある。
【０００７】
本発明は上記背景に鑑みてなされたものであり、給湯開始までの待ち時間が長くなることを防止すると共に、給排気通路の閉塞が生じた状態でバーナに点火されることを防止した給湯装置を提供することを目的とする。
【課題を解決するための手段】
【０００８】
本発明は上記目的を達成するためになされたものであり、本発明の給湯装置は、
バーナと、
給排気通路を介して、前記バーナに燃焼用空気を供給すると共に、前記バーナの燃焼排ガスを排出する燃焼ファンと、
給水管及び出湯管に接続されて、給水管から供給される水を前記バーナにより加熱して前記出湯管に出湯する熱交換器と、
前記熱交換器への給水を検出する給水センサと、
前記給水センサにより前記熱交換器への給水が検出されているときに、前記バーナを燃焼させて前記出湯管に出湯する給湯運転を実行する給湯制御部とを備えている。
【０００９】
そして、本発明の第１の態様の給湯装置は、
前記給湯制御部による前記給湯運転の実行が許可される運転モードと、前記給湯制御部による前記給湯運転の実行が禁止される待機モードとの切替えを指示するための運転スイッチと、
前記運転スイッチの操作に応じて、前記運転モードと前記待機モードとを切替えるモード切替部と、
前記運転スイッチにより前記待機モードから前記運転モードへの切替えが指示された時に、前記給排気通路の閉塞の有無を判断し、前記給排気通路の閉塞を検知したときには、前記バーナの点火を禁止するか又は報知を行う閉塞検知部と
を備えたことを特徴とする。
【００１０】
かかる本発明によれば、使用者が前記運転スイッチにより前記待機モードから前記運転モードへの切替えを指示したときは、使用者が湯を使用するために前記運転スイッチを操作したと想定されるため、その後直ぐに使用者が湯の使用を開始する可能性が高い。
【００１１】
そこで、前記運転スイッチにより前記待機モードから前記運転モードへの切替えが指示された時に、前記閉塞検知部による前記給排気通路の閉塞の有無を判断することによって、前記バーナに点火されて前記給湯運転が開始される直前に前記給排気通路の閉塞の有無を判断することができる。そして、この場合には、前記バーナに点火する時の前記給排気通路の閉塞の有無の判断を省略することができるため、前記給水センサにより前記熱交換器への給水が検出されてから、前記出湯管に湯が供給されるまでの待ち時間が長くなることを防止することができる。
【００１２】
次に、本発明の第２の態様の給湯装置は、
前記給湯制御部による前記給湯運転の実行が許可される運転モードと、前記給湯制御部による前記給湯運転の実行が禁止される待機モードとの切替えを指示するための運転スイッチと、
前記運転スイッチの操作に応じて、前記運転モードと前記待機モードとを切替えるモード切替部と、
前記待機モードにおいて、前記給水センサにより前記熱交換器への給水が検出されない状態から給水が検出される状態に切り替わった時に、前記給排気通路の閉塞の有無を判断し、前記給排気通路の閉塞を検知したときには、前記バーナの点火を禁止するか又は報知を行う閉塞検知部と
を備えたことを特徴とする。
【００１３】
この構成によれば、前記待機モードにおいて、前記給水センサにより前記熱交換器への給水が検出されない状態から給水が検出される状態に切り替わったときは、使用者が前記運転スイッチによる前記待機モードから前記運転モードへの切替え操作を忘れて、湯を使用していると想定される。そのため、この切替え操作を忘れていることに気付いた使用者が、前記運転スイッチを操作して前記運転モードとし、湯の使用が開始される可能性が高いと考えられる。
【００１４】
そこで、この場合に、前記閉塞検知部による前記給排気通路の閉塞の有無を判断することによって、前記バーナに点火されて前記給湯運転が開始される直前に前記給排気通路の閉塞の有無を判断することができる。そして、この場合には、前記バーナに点火する時の前記給排気通路の閉塞の有無の判断を省略することができるため、前記給水センサによる前記熱交換器への給水が検出されてから、前記出湯管に湯が供給されるまでの待ち時間が長くなることを防止することができる。
【００１５】
次に、本発明の第３の態様の給湯装置は、
前記バーナを燃焼させて前記出湯管に出湯する給湯運転の実行条件を設定するための設定スイッチと、
前記給水センサにより前記熱交換器への給水が検出されているときに、前記設定スイッチの操作に応じた実行条件により前記給湯運転を実行する給湯制御部と、
前記給湯運転が停止した状態で前記設定スイッチが操作された時に、前記給排気通路の閉塞の有無を判断し、前記給排気通路の閉塞を検知したときには、前記バーナの点火を禁止するか又は報知を行う閉塞検知部と
を備えたことを特徴とする。
【００１６】
この構成によれば、前記給湯運転が停止した状態で前記設定スイッチが操作されたときには、使用者が、湯の使用を開始する時に前記給湯運転の条件（給湯温度等）を変更したと想定される。そのため、前記設定スイッチが操作された直後に湯の使用が開始される可能性が高いと考えられる。
【００１７】
そこで、この場合に、前記閉塞検知部による前記給排気通路の閉塞の有無を判断することによって、前記バーナに点火されて前記給湯運転が開始される直前に前記給排気通路の閉塞の有無を判断することができる。そして、この場合には、前記バーナに点火する時の前記給排気通路の閉塞の有無の判断を省略することができるため、前記給水センサにより前記熱交換器への給水が検出されてから、前記出湯管に湯が供給されるまでの待ち時間が長くなることを防止することができる。
【００１８】
次に、本発明の第４の態様の給湯装置は、
計時部と、
前記給湯運転が停止した状態で、前記計時部による計時時刻が、前記給湯運転が実行される可能性が高い時間帯として設定された特定時間帯外から該特定時間帯内に移行した時に、前記給排気通路の閉塞の有無を判断し、前記給排気通路の閉塞を検知したときには、前記バーナの点火を禁止するか又は報知を行う閉塞検知部と
を備えたことを特徴とする。
【００１９】
この構成によれば、前記計時部による計時時刻が、前記特定時間帯外から前記特定時間帯内に移行した時には、使用者が湯の使用を開始する可能性が高くなる。そこで、この場合に前記給排気通路の閉塞の有無を判断することによって、前記バーナに点火される直前に前記給排気通路の閉塞の有無を判断することができる。そして、この場合には、前記バーナに点火する時の前記給排気通路の閉塞の有無の判断を省略することができるため、前記給水センサにより前記熱交換器への給水が検出されてから、前記出湯管に湯が供給されるまでの待ち時間が長くなることを防止することができる。
【図面の簡単な説明】
【００２０】
【図１】給湯装置の構成図。
【図２】待機モードにおける閉塞検知処理の第１のフローチャート。
【図３】待機モードにおける閉塞検知処理の第２のフローチャート。
【図４】運転モードにおける閉塞検知処理のフローチャート。
【発明を実施するための形態】
【００２１】
本発明の実施形態について、図１〜図４を参照して説明する。
【００２２】
図１を参照して、本実施形態の給湯装置１は、バーナ３とバーナ３の上方に配置された熱交換器４とを収容した缶体２、熱交換器４の入口（上流側の接続口）に接続された給水管５、熱交換器４の出口（下流側の接続口）に接続された出湯管６、バーナ３に燃料ガスを供給するガス供給路８、バーナ３に燃焼用空気を供給すると共にバーナ３の燃焼排ガスを排出する燃焼ファン１４、給湯装置１の全体的な作動を制御するコントローラ２３、及び、給湯装置１を遠隔操作するためのリモコン２４を備えている。
【００２３】
熱交換器４は、多数の吸熱フィン４ａと吸熱フィン４ａを貫通した吸熱管４ｂとを有している。そして、上水道（図示しない）から給水管５に供給される水が熱交換器４においてバーナ３の燃焼排ガスとの熱交換により加熱されて出湯管６に送出され、給湯栓７から出湯される。
【００２４】
バーナ３は、１０本の単位バーナ３０を有する大バーナブロック３ａと、５本の単位バーナ３０を有する小バーナブロック３ｂとにより燃焼範囲が区画され、各バーナブロック３ａ，３ｂの燃焼と消火を個別切替えが可能に構成されている。具体的には、大能力（大バーナブロック３ａ：燃焼、小バーナブロック３ｂ：燃焼）、中能力（大バーナブロック３ａ：燃焼、小バーナブロック３ｂ：消火）、小能力（大バーナブロック３ａ：消火、小バーナブロック３ｂ：燃焼）、という３段階にバーナ３の燃焼範囲が切替えられる。
【００２５】
ガス供給路８には、上流側からガス元弁９とガス比例弁１０が設けられている。また、ガス供給路８から分岐した大バーナ分岐路３１には大バーナ切替弁３２が設けられ、ガス供給路８から分岐した小バーナ分岐路３３には小バーナ切替弁３４が設けられている。バーナ３の燃焼量は、大バーナ切替弁３２及び小バーナ切替弁３４の開閉の切替えとガス比例弁１０の開度調節により制御される。
【００２６】
バーナ３の燃焼排ガスは、熱交換器４での熱交換が行われた後に、缶体２の上端部から排気筒１２を経由して屋外に排出される。排気筒１２は給気筒１３で囲われており、給気筒１３は、燃焼ファン１４の吸気口に連通した吸込みダクト１５に接続されている。燃焼ファン１４の作動により、外気が給気筒１３と吸込みダクト１５と燃焼ファン１４とを介して缶体２内に燃焼用空気として供給される。
【００２７】
給気筒１３から吸込みダクト１５と燃焼ファン１４を介して缶体２に至る経路と、缶体２から排気筒１２を介して屋外に至る経路は、本発明の給排気通路に相当する。
【００２８】
給水管５と出湯管６は、熱交換器４をバイパスするバイパス管１６により連通されている。給水管５のバイパス管１６との接続箇所の上流側には、給水管５を流通する水の流量を検出する流量センサ１７（本発明の給水センサに相当する）と、給水管５の開度を変更する流量調節弁１８とが設けられている。また、給水管５のバイパス管１６との接続箇所の下流側には、熱交換器４に供給される水の温度を検出する給水温度センサ１９が設けられている。
【００２９】
出湯管６のバイパス管１６との接続箇所の上流側には、熱交換器４の出口付近の湯水の温度を検出する熱交出口温度センサ２０が設けられている。また、出湯管６のバイパス管１６との接続箇所の下流側には、出湯管６から給湯栓７に供給される湯水の温度を検出する給湯温度センサ２１が設けられている。
【００３０】
バイパス管１６には、バイパス管１６の開度を変更して、熱交換器４側に流れる湯水の流量に対するバイパス管１６側に流れる湯水の流量の割合（バイパス比）を調節するためのバイパス流量調節弁２２が設けられている。燃焼ファン１４には、燃焼ファン１４の回転速度を検出する回転速度センサ２５が設けられている。
【００３１】
コントローラ２３は、図示しないＣＰＵ，メモリ等により構成された電子回路ユニットであり、コントローラ２３には、流量センサ１７、給水温度センサ１９、熱交出口温度センサ２０、給湯温度センサ２１、及び回転速度センサ２５の各検出信号が入力される。また、コントローラ２３から出力される制御信号によって、ガス元弁９、ガス比例弁１０、大バーナ切替弁３２、小バーナ切替弁３４、燃焼ファン１４、流量調節弁１８、及びバイパス流量調節弁２２の作動が制御される。さらに、コントローラ２３には、給湯装置１を遠隔操作するためのリモコン２４が接続されている。
【００３２】
リモコン２４は、給湯装置１の作動状態等を表示する表示器７０、給湯装置１を後述する運転モードと待機モードに切り替えるための運転スイッチ７１、及び目標給湯温度等の給湯運転の実行条件を設定するためのＵＰスイッチ７２，ＤＯＷＮスイッチ７３（本発明の設定スイッチに相当する）等を備えている。
【００３３】
コントローラ２３は、メモリに保持された給湯装置１の制御用プログラムをＣＰＵで実行することによって、給湯制御部６０、モード切替部６１、閉塞検知部６２、及び計時部６３として機能する。
【００３４】
給湯制御部６０は、給湯栓７が開栓状態となって上水道から給水管５への給水により、流量センサ１７の検出流量が最低動作流量以上になったとき（本発明の熱交換器への給水が検出されているときに相当する）にバーナ３に点火し、給湯温度センサ２１の検出温度Ｔsがリモコン２４により設定された目標給湯温度と一致するように、燃焼ファン１４、ガス比例弁１０、大バーナ切替弁３２、及び、小バーナ切替弁３４の作動を制御して、バーナ３の燃焼量を調節すると共に、バイパス流量調節弁２２の開度を調節する給湯運転を実行する。
【００３５】
また、バーナ３の燃焼量を最大にしても、給湯温度センサ２１の検出温度Ｔbが目標給湯温度に達しないときには、給湯制御部６０は、流量調節弁１８により給水管５の通水流量を減少させる。
【００３６】
モード切替部６１は、使用者による運転スイッチ７１の操作に応じて、給湯制御部６０による給湯運転の実行を許可する運転モードと、給湯制御部６０による給湯運転の実行を禁止する待機モードとに切り替える。
【００３７】
運転モードにおいては、使用者が給湯栓７を開栓すると給水管への給水に応じて給湯運転が実行され、給湯栓７から湯が出湯されるが、待機モードにおいては、使用者が給湯栓を開栓しても給湯運転は実行されないため、給水管に供給される水がそのまま給湯栓７から出水される。
【００３８】
運転モードにおいて、給湯制御部６０は、リモコン２４の表示器７０に、目標給湯温度、バーナ３の燃焼状況（燃焼中／燃焼停止中）等を表示し、ＵＰスイッチ７２及びＤＯＷＮスイッチ７３等の操作に応じて、給湯装置１の目標給湯温度等を変更する。一方、待機モードにおいては、表示器７０は消灯状態となり、運転スイッチ７１以外のスイッチ操作は受け付けられない。
【００３９】
閉塞検知部６２は、給排気通路（給気筒１３から吸込みダクト１５と燃焼ファン１４を介して缶体２に至る経路と、缶体２から排気筒１２を介して屋外に至る経路）の閉塞が生じている状態でのバーナの燃焼を禁止するための処理を実行する。
【００４０】
計時部６３は、コントローラ２３に備えられた発振器（図示しない）から出力されるクロック信号を計数して現在時刻を計時する。なお、リモコン２４に備えられた発振器から出力されるクロック信号を計数して現在時刻を計時してもよい。或いは、コントローラ２３が通信機能を有する場合には、外部機器との通信により現在時刻を取得する構成としてもよい。
【００４１】
以下、図２〜図４に示したフローチャートに従って、給湯制御部６０、モード切替部６１、及び閉塞検知部６２による処理について説明する。
【００４２】
図２のＳＴＥＰ１〜ＳＴＥＰ３は閉塞検知部６２による処理である。閉塞検知部６２は待機モードにおいてＳＴＥＰ１〜ＳＴＥＰ２のループを実行し、ＳＴＥＰ１で運転スイッチが操作されたとき（待機モードから運転モードへの切替えが指示されたとき）に図３のＳＴＥＰ３０に分岐し、ＳＴＥＰ２で流量センサ１７によりに最低動作流量以上の流水が検出されたときにＳＴＥＰ３に進む。
【００４３】
ＳＴＥＰ３で、閉塞検知部６２は閉塞検知処理を実行する。具体的には、閉塞検知部６２は、燃焼ファン１４への通電量（燃焼ファン１４の駆動モータへの通電量）を、回転速度センサ２５による検出回転速度が所定の閉塞検知用回転速度となるように制御したときの、燃焼ファン１４への通電量を検出する。そして、燃焼ファン１４への通電量が予め設定された正常範囲よりも少なくなっているときに、閉塞検知部６２は給排気通路の閉塞が生じていると判断する。
【００４４】
続くＳＴＥＰ４〜ＳＴＥＰ５はモード切替部６１による処理である。ＳＴＥＰ４で運転スイッチ７１が操作されたときにＳＴＥＰ５に進み、モード切替部６１は待機モードから運転モードに切り替える。
【００４５】
次のＳＴＥＰ６及びＳＴＥＰ６から分岐したＳＴＥＰ２０は、閉塞検知部６２による処理である。閉塞検知部６２がＳＴＥＰ３で給排気通路の閉塞を検知したときは、ＳＴＥＰ６からＳＴＥＰ２０に分岐する。ＳＴＥＰ２０で、閉塞検知部６２は、リモコン２４の表示器７０にエラー表示（例えば、給排気通路の閉塞が生じていることを示すエラーコードの表示等、本発明の報知に相当する）をする。
【００４６】
この場合は、後述する給湯制御部６０による給湯運転は実行されないため、給排気通路の閉塞が生じている状態で、バーナ３が燃焼することが禁止される。
【００４７】
一方、閉塞検知部６２がＳＴＥＰ３で給排気通路の閉塞を検知しなかったときには、ＳＴＥＰ６からＳＴＥＰ７に進む。ＳＴＥＰ７で、給湯制御部６０は、流量センサ１７による検出流量が最低動作流量以上であるときに、バーナ３を燃焼させて給湯運転を実行する。
【００４８】
図３のＳＴＥＰ３０はモード切替部６１による処理である。モード切替部６１は、図２のＳＴＥＰ１における運転スイッチ７１の操作に応じて、待機モードから運転モードに切り替える。続くＳＴＥＰ３１〜ＳＴＥＰ３２及びＳＴＥＰ３２から分岐したＳＴＥＰ４０は、閉塞検知部６２による処理である。
【００４９】
ＳＴＥＰ３１で、閉塞検知部６２は、上述したＳＴＥＰ３と同様に閉塞検知処理を実行する。閉塞検知処理により給排気通路の閉塞が生じていると判断したときは、次のＳＴＥＰ３２からＳＴＥＰ４０に分岐し、閉塞検知部６２は、リモコン２４の表示器７０にエラー表示（給排気通路の閉塞が生じていることを示すエラーコードの表示等）をする。
【００５０】
この場合は、給湯制御部６０による給湯運転は実行されないため、給排気通路の閉塞が生じている状態で、バーナ３が燃焼することが禁止される。
【００５１】
一方、閉塞検知部６２により給排気通路の閉塞が生じていないと判断されたときには、ＳＴＥＰ３２からＳＴＥＰ３３に進む。ＳＴＥＰ３３は給湯制御部６０による処理である。ＳＴＥＰ３３で、給湯制御部６０は、流量センサ１７による検出流量が最低動作流量以上であるときに、バーナ３を燃焼させて給湯運転を実行する。
【００５２】
次に、図４は、運転モードにおいて給排気通路の閉塞の有無を判断する処理のフローチャートである。ＳＴＥＰ５０〜ＳＴＥＰ５４及びＳＴＥＰ５４から分岐したＳＴＥＰ６０は、閉塞検知部６２による処理である。
【００５３】
閉塞検知部６２は、ＳＴＥＰ５０〜ＳＴＥＰ５２のループにより、ＳＴＥＰ５０で給湯運転が停止中であり、且つＳＴＥＰ５１で、計時部６３により計時されている時刻が、予め設定された特定時間帯外から特定時間内に移行したとき、又はＳＴＥＰ５２で、ＵＰスイッチ７２等の設定スイッチが操作されたときにＳＴＥＰ５３に進む。
【００５４】
ここで、特定時間帯は、使用者が湯を使用する可能性が高い時間帯を想定して設定されたものであり、例えば、使用者が洗面をすると想定される午前７時前後（午前６時〜８時等）や、使用者が調理や入浴をすると想定される夕方から就寝時（午後６時〜１１時等）に設定される。
【００５５】
ＳＴＥＰ５３で閉塞検知部６２は閉塞検知処理を実行する。そして、給排気通路の閉塞が生じていると判断されたときは、続くＳＴＥＰ５４からＳＴＥＰ６０に分岐する。ＳＴＥＰ６０で、閉塞検知部６２は、リモコン２４の表示器７０にエラー表示をする。
【００５６】
この場合は、給湯制御部６０による給湯運転は実行されないため、給排気通路の閉塞が生じている状態で、バーナ３が燃焼することが禁止される。
【００５７】
一方、給排気通路の閉塞が生じていないと判断されたときは、ＳＴＥＰ５４からＳＴＥＰ５５に進む。ＳＴＥＰ５５は給湯制御部６０による処理である。ＳＴＥＰ５５で、給湯制御部６０は、流量センサ１７による検出流量が最低動作流量以上であるときに、バーナ３を燃焼させて給湯運転を実行する。
【００５８】
図２〜図４に示したフローチャートによる処理によって、（１）待機モードにおいて運転スイッチが操作された時（図２のＳＴＥＰ１）、（２）待機モードにおいて流量センサ１７の検出流量が最低動作流量以上になった時（図２のＳＴＥＰ２）、（３）運転モードにおいて、給湯運転の停止中に、計時部６３による計時時刻が特定時間外から特定時間内に移行した時（図４のＳＴＥＰ５１）、及び（４）運転モードにおいて、給湯運転の停止中に、設定スイッチが操作された時（図４のＳＴＥＰ５２）に、閉塞検知部６２により給排気通路の閉塞の有無が判断される。
【００５９】
ここで、上記（１）〜（４）の状況になった時は、使用者がその後直ぐに湯の使用を開始する可能性が高いと考えられる。そこで、上記（１）〜（４）の状況になった時に、閉塞検知部６２により閉塞検知処理を実行することにより、給湯運転の開始に伴ってバーナ３に点火される直前に、予め給排気通路の閉塞が生じているか否かを判断することができる。
【００６０】
そのため、給湯制御部６０が給湯運転を開始するときには、バーナ３に点火する際の給排気通路の閉塞の有無の判断を省略することができる。このように、バーナ３に点火する際の給排気通路の閉塞の有無の判断を省略することにより、使用者が給湯栓７を開栓してから、湯が供給されるまでの待ち時間が長くなることを防止することができる。
【００６１】
また、上記（１）〜（４）のタイミングにより、バーナ３に点火される直前に給排気通路の閉塞の有無を判断するので、閉塞の有無を判断した時からバーナ３に点火される時までの間に、給排気通路の閉塞が生じる可能性は低い。
【００６２】
なお、本実施形態では、図４に示したフローチャートにより、運転モードにおいて、給湯運転の停止中に、計時部６３による計時時刻が特定時間帯外から特定時間帯内に移行した時、及び設定スイッチが操作された時に、閉塞検知処理を行ったが、待機モードにおいても、同様に閉塞検知処理を行ってもよい。
【００６３】
また、本実施形態では、上記（１），（２），（３），（４）という４つのタイミングで閉塞検知処理を実行したが、少なくとも（１）又は（２）のタイミングで閉塞検知処理を実行することで、本発明の効果を得ることができる。
【００６４】
また、本実施形態では、ガスを燃料とするバーナ３を備えた給湯装置を示したが、石油等の他の種類の燃料を用いるバーナを備えた給湯装置に対しても、本発明の適用が可能である。
【符号の説明】
【００６５】
１…給湯装置、３…バーナ、４…熱交換器、５…給水管、６…出湯管、１９…給水温度センサ、２０…熱交出口温度センサ、２１…給湯温度センサ、２３…コントローラ、２５…回転速度センサ、６０…給湯制御部、６１…モード切替部、６２…閉塞検知部、６３…計時部、７０…リモコン、７１…運転スイッチ、７２…ＵＰスイッチ（設定スイッチ）、７３…ＤＯＷＮスイッチ（設定スイッチ）。
【図１】
2015059720.tif 000003
【図２】
2015059720.tif 000004
【図３】
2015059720.tif 000005
【図４】
2015059720.tif 000006